(57)【要約】【課題】浴槽の湯温については、設定された温度でお湯はりが行なわれていたが、浴槽の湯温が高いため入浴しづらい、暖かい湯温に入浴したいときに湯温が低すぎる場合があり、必ずしも最適な湯温で快適な入浴を提供するものではないこと。【解決手段】風呂追い焚き機能付き給湯機１において、浴室９の温度を検知する第１の温度センサー８と、浴槽の湯温を検知する第２の温度センサー４と、第１の温度センサー８と第２の温度センサー４との検知した温度に基き、給湯機を制御する第１の制御システム３を備え、浴室９の温度を監視し、体感に最適な浴槽の湯温調整を行い、快適なに入浴を提供することができる。【選択図】図１
2007183051.tif 000002
【特許請求の範囲】
【請求項１】
浴槽の湯を加熱調節する給湯機と、浴室の温度を検知する第１の温度センサーと、浴槽の湯温を検知する第２の温度センサーと、前記第１の温度センサーと前記第２の温度センサーの検知した温度に基き、前記給湯機を制御して浴槽の湯温調整を行なう第１の制御システムを備え、前記第１の制御システムは、浴室の温度を監視し、体感に最適な浴槽の湯温調整を行なう入浴支援システム。
【請求項２】
第１の制御システムは、予め前記第１の制御システムに入力されている浴室の温度に対応しての体感に最適な浴槽の湯温に調整を行なう請求項１に記載の入浴支援システム。
【請求項３】
第１の制御システムは、予め前記第１の制御システムに入力されている浴室の温度に対応しての体感に最適な浴槽の湯温を、任意に変更可能な請求項２に記載の入浴支援システム。
【請求項４】
第１の制御システムは、前記第１の制御システムで計算を行い、浴室の温度に対応しての体感に最適な浴槽の湯温に調整を行なう請求項１に記載の入浴支援システム。
【請求項５】
浴槽蓋が閉じられたことを検知する第３のセンサーを備え、第１の制御システムは、前記第３のセンサーが前記浴槽蓋の閉成を検知すると浴室の温度に対応しての体感に最適な浴槽の湯温に調整を行なう請求項１に記載の入浴支援システム。
【請求項６】
第１のスイッチを備え、第１の制御システムは、前記第１のスイッチが操作されると浴室の温度に対応しての体感に最適な浴槽の湯温に調整を行なう請求項１に記載の入浴支援システム。
【発明の詳細な説明】
【技術分野】
【０００１】
本発明は、風呂追い焚き機能付き給湯機を有した浴室における入浴支援システムの技術、特に体感に最適な浴槽の湯温調節技術の向上に関するものである。
【背景技術】
【０００２】
従来、この種の風呂追い焚き機能付き給湯機を有した入浴支援システムについては、設定した入浴準備完了時刻に対して実際の入浴準備完了時刻を近づけ、入浴準備完了のお知らせと実際の入浴準備完了時刻とがかけ離れないように、湯張り給湯の流量調節と、予約された入浴準備完了時刻に基づいて湯張り給湯の湯張り総量と、演算用湯張り流量とを用いて、所要湯張り時間と湯張り開始時刻を演算するようにしたコントローラとを備え、実際に流れる湯張り流量が前記演算用湯張り流量になるよう制御するようにしたものがあった（例えば、特許文献１参照）。
【特許文献１】特開２００２−１６２１０３号公報
【発明の開示】
【発明が解決しようとする課題】
【０００３】
しかしながら、前記従来の構成では、湯量やお湯はり完了時間を重視したものであり、浴槽の湯温については、設定された温度でお湯張りが行なわれていたが、浴槽の湯温が高いため入浴しづらい、暖かい湯温に入浴したいときに湯温が低すぎる場合があり、必ずしも最適な湯温で快適な入浴を提供するものではなかった。
【０００４】
上記従来の課題に鑑み、本発明が解決しようとする課題は、浴室の温度を監視して体感に最適な浴槽の湯温調整を行なうことにより、最適な湯温で快適に入浴できる入浴支援システムを提供することにある。
【課題を解決するための手段】
【０００５】
上記課題を解決するために、本発明の入浴支援システムは、浴槽の湯を加熱調節する給湯機と、浴室の温度を検知する第１の温度センサーと、浴槽の湯温を検知する第２の温度センサーと、前記第１の温度センサーと前記第２の温度センサーの検知した温度に基き、前記給湯機を制御して浴槽の湯温調整を行なう第１の制御システムを備え、前記第１の制御システムは、浴室の温度を監視し、体感に最適な浴槽の湯温調整を行なうので、浴槽の湯温が最適な湯温に調整され、快適な入浴を提供することができる。
【発明の効果】
【０００６】
本発明の入浴支援システムは、浴室の温度を監視しながら体感に最適な浴槽の湯温調整を行なうことにより、浴槽の湯温が最適な湯温に調整され、快適な入浴を提供することができる。
【発明を実施するための最良の形態】
【０００７】
第1の発明は、浴槽の湯を加熱調節する給湯機と、浴室の温度を検知する第１の温度センサーと、浴槽の湯温を検知する第２の温度センサーと、前記第１の温度センサーと前記第２の温度センサーの検知した温度に基き、前記給湯機を制御して浴槽の湯温調整を行なう第１の制御システムを備え、前記第１の制御システムは、浴室の温度を監視し、体感に最適な浴槽の湯温調整を行なうので、快適な入浴を提供することができる。
【０００８】
第２の発明は、特に第1の発明の第１の制御システムを、予め前記第１の制御システムに入力されている浴室の温度に対応しての体感に最適な浴槽の湯温に調整を行なう構成に
しているので、体感に最適な浴槽の湯温に調整を行い、快適な入浴を提供することができる。
【０００９】
第３の発明は、特に第２の発明の第１の制御システムを、予め前記第１の制御システムに入力されている浴室の温度に対応しての体感に最適な浴槽の湯温を、任意に変更可能な構成にしているので、高齢者、子供等を含む個人差による湯温の変化にも対応可能になり、快適な入浴を提供することができる。
【００１０】
第４の発明は、特に第1の発明において第１の制御システムで計算を行い、浴室の温度に対応しての体感に最適な浴槽の湯温に調整を行なうので、快適な入浴を提供することができる。
【００１１】
第５の発明は、特に第1の発明において、浴槽蓋が閉じられたことを検知する第３のセンサーを備え、第１の制御システムは、前記第３のセンサーが前記浴槽蓋の閉成を検知すると浴室の温度に対応して体感に最適な浴槽の湯温に調整を行なう構成にしているので、浴槽蓋の閉成による無駄なエネルギーの放出を軽減し効率的に体感に最適な浴槽の湯温に調整を行い、快適な入浴を提供することができる。
【００１２】
第６の発明は、特に第１の発明において、第１のスイッチを備え、第１の制御システムは、前記第１のスイッチが操作されると浴室の温度に対応しての体感に最適な浴槽の湯温に調整を行なうもので、快適な入浴を提供することができる。
【００１３】
以下、本発明の実施の形態について、図面を参照しながら説明する。なお、本実施の形態によって本発明が限定されるものではない。
【００１４】
（実施の形態１）
図１は、本発明の実施の形態１における入浴支援システムを示す構成図である。図１において給湯機１は、浴室９に設置した浴槽１０に、風呂追い炊き戻り管５と風呂追い炊き往き管６を介して加熱器としての熱交換器２を接続して、浴槽１０に湯を給湯し、かつ循環させて加熱する風呂追い炊き機能付き給湯機で、第１の制御システム３と、遠隔制御器であるリモコン１３を有する。
【００１５】
第１の制御システム３は、内蔵するプログラムの実行により、入水管である水道管７の接続された熱交換器２を加熱する機能を有して熱交換器２とで浴槽湯の加熱と湯温調節の制御、湯の供給、停止、循環等を行なう構成にしてあり、さらに制御部分は上記のプログラムを有するマイクロコンピュータ及びその周辺回路で構成されている。
【００１６】
また、第１の制御システム３は、内蔵するプログラムの実行により、浴室９に設置されて浴室９の温度を検知する第１の温度センサーとしての浴室温度センサー８で浴室９の温度を検知した第1の信号１２と、給湯機１の風呂追い炊き戻り管５に設けた第２の温度センサーとしての浴槽湯温センサー４で浴槽１０の湯温を検知した第２の信号１１を取り込んで給湯機１の加熱を制御し、浴室９の温度に対応して体感に最適な浴槽の湯温に調整を行なうように構成してある。
【００１７】
すなわち、第１の制御システム３には、例えば、浴室９の温度が高い（夏場）場合は浴槽１０の湯温を低目に、浴室９の温度が低い（冬場）場合は浴槽１０の湯温を高目にという具合に、予め実験的に四季毎の浴室９の温度に対応しての体感に最適な浴槽１０の湯温のテーブルをマイクロコンピュータに記憶させてある。
【００１８】
そして、第１の制御システム３は、浴室温度センサー８の検知した浴室９の温度を取り
込んで、予め記憶してある上記したテーブルの中から浴室９の温度に対応しての体感に最適な浴槽１０の湯温を抽出し、この浴槽１０の湯温と浴槽湯温センサー４で検知した浴槽１０の湯温を比較演算を行なって給湯機１の能力を制御し、浴室９の温度に対応しての体感に最適な浴槽１０の湯温に調整を行なうものである。
【００１９】
リモコン１３は、給湯機１の全体的な制御を遠隔で行う以外に、第１のスイッチ１４を有し、この第１のスイッチ１４をオンすると、上記した第１の制御システム３はプログラムを実行して浴室９の温度に対応する浴槽１０の湯温に調整するように制御を行なう。
【００２０】
上記実施の形態において、リモコン１３の第１のスイッチ１４を閉じると、その操作信号が第１の制御システム３に入力される。そして、第１の制御システム３は浴室温度センサー８の検知した浴室９の温度を取り込み、この浴室９の温度に対応しての体感に最適な浴槽の湯温を記憶したテーブルから抽出するとともに、この体感に最適な浴槽の湯温と給湯機１により風呂追い炊き戻り管５、熱交換器２、風呂追い炊き往き管６、浴槽１９と循環して加熱される浴槽湯における浴槽湯温センサー４の検知した浴槽の湯温と比較演算し、前記した体感に最適な浴槽の湯温になるように給湯機１を制御する。従って、浴槽１０の湯は浴室９の温度に対応して体感に最適な浴槽の湯温になり、四季を通じて快適な入浴を行なうことができる。
【００２１】
以上のように、本実施の形態においては、浴室９の温度を監視し、体感に最適な浴槽１０の湯温調整を行うことにより、快適な入浴を提供することができる。
【００２２】
なお、本実施の形態では、第１の制御システムは四季を通じての浴室９の温度に対応しての体感に最適な浴槽の湯温を、浴室９の温度と対応させたテーブルを記憶しているが、春、夏、秋、冬毎で、かつ高齢者、子供等の個人差も加味してスイッチ等で任意にテーブルを切り替えて上記したテーブルを使い分けるようにしても、本実施の形態と同様の作用効果を期待できるのはもちろん、さらに四季を通じて、かつ個人の好みに応じて体感に最適な浴槽１０の湯温調整を行うことも可能になり、より一層の快適な入浴ができることになる。
【００２３】
また、本実施の形態では給湯機１で浴槽湯を循環させて追い炊きし、この時における浴室９の温度に対応しての体感に最適な浴槽の湯温に調整する構成について説明したが、給湯機１により浴槽１０に給湯する際における、浴槽へ落とし込む湯温の調整にも適用できるものであり、この時における浴室９の温度に対応しての体感に最適な湯温になるように給湯する湯の温度を給湯機１の制御で調整する構成にするものである。
【００２４】
（実施の形態２）
図２は、本発明の実施の形態２における入浴支援システムの構成図を示すものである。本実施の形態は、浴槽蓋が閉じられたことを検知する第３のセンサーを備え、この信号を第１の制御システムが取り込んで給湯機による浴槽の湯温を制御する点で実施の形態１の発明と異なり、それ以外の」同一構成で同じ作用効果を奏する部分には図１と同じ符号を付して詳細な説明を省略し、異なるところを中心に説明する。
【００２５】
図２において、第３のセンサー１５は浴槽１０に設けて浴槽蓋１６が浴槽１０を閉じたことを検知するものである。一方、第１の制御システム３は実施の形態１の発明で説明したと同様の構成である以外に、第３のセンサー１５が浴槽蓋１６の閉成を検知すると、この信号を取り込んで浴室の温度に対応しての体感に最適な浴槽の湯温に調整を行なうように構成している。
【００２６】
上記実施の形態において、浴槽１０の浴槽蓋１６を閉じ、かつリモコン１３の第１のス
イッチ１４を閉じると、浴槽蓋１６の閉じられた信号と第１のスイッチ１４の操作信号が第１の制御システム３に入力される。そして、第１の制御システム３は浴室温度センサー８の検知した浴室９の温度を取り込み、この浴室９の温度に対応しての体感に最適な浴槽の湯温を、記憶したテーブルから抽出するとともに、この体感に最適な浴槽の湯温と給湯機１により風呂追い炊き戻り管５、熱交換器２、風呂追い炊き往き管６、浴槽１９と循環して加熱される浴槽湯における浴槽湯温センサー４の検知した浴槽の湯温と比較演算し、前記した体感に最適な浴槽の湯温になるように給湯機１を制御する。
【００２７】
従って、浴槽１０の湯は浴室９の温度に対応して体感に最適な浴槽の湯温になり、四季を通じて快適な入浴を行なうことができるとともに、浴槽蓋１６が閉じられることで、はじめて浴室９の温度に対応して体感に最適な浴槽の湯温に調節されるので、無駄なエネルギーの放出を軽減し、効率的な湯温調整を行なうことができる。
【産業上の利用可能性】
【００２８】
以上のように、本発明にかかる入浴支援システムは、浴室の温度を監視しながら体感に最適な浴槽の湯温調整を行なうことにより、浴槽の湯温が最適な湯温に調整され、快適な入浴を提供することができるもので、給湯機における湯沸し機能についても、室温、気温を検知し、体感に最適なお湯を提供する等の用途にも適用できる。
【図面の簡単な説明】
【００２９】
【図１】本発明の実施の形態１における入浴支援システムを示す構成図
【図２】本発明の実施の形態１における入浴支援システムを示す構成図
【符号の説明】
【００３０】
１   給湯機
３   第1の制御システム
４   浴槽湯温センサー（第２の温度センサー）
８   浴室温度センサー（第１の温度センサー）
９   浴室
１０   浴槽
１１   第２の信号
１２   第1の信号
１４   第1のスイッチ
１５  第３のセンサー
１６  浴槽蓋
【図１】
2007183051.tif 000003
【図２】
2007183051.tif 000004